(57)【要約】【課題】ユーザが作業量を把握できるようにタスクインデックスを表示する。【解決手段】登録されたタスクの実施を支援する作業支援システムＳであって、前記登録されたタスクを示すタスクインデックスを実施期限順に並べて表示装置に表示させる表示制御部２３と、所定の期間内に実施期限を迎える期間内タスクの数を導出するタスク数導出部２２と、を備え、表示制御部２３は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる。【選択図】図１
2018041286.tif 000002
【特許請求の範囲】
【請求項１】
登録されたタスクの実施を支援する作業支援システムであって、
前記登録されたタスクを示すタスクインデックスを実施期限順に並べて表示装置に表示させる表示制御手段と、
所定の期間内に実施期限を迎える期間内タスクの数を導出するタスク数導出手段と、を備え、
前記表示制御手段は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる、
ことを特徴とする作業支援システム。
【請求項２】
前記表示制御手段は、前記期間内タスクのタスクインデックスに対して変更を指示する変更ボタンを前記表示領域に表示させる、
ことを特徴とする請求項１に記載の作業支援システム。
【請求項３】
前記期間内タスクのタスクインデックスに対する変更は、期限延長および実施完了の少なくとも何れか一方を含み、
前記表示制御手段は、前記期間内で終点側の前記期間内タスクのタスクインデックスと前記期間外タスクのタスクインデックスとの間の前記表示領域に表示させる、
ことを特徴とする請求項２に記載の作業支援システム。
【請求項４】
前記期間内タスクのタスクインデックスに対する変更は、期限短縮および実施完了の少なくとも何れか一方を含み、
前記表示制御手段は、前記期間内で始点側の前記期間内タスクのタスクインデックスと前記期間外タスクのタスクインデックスとの間の前記表示領域に表示させる、
ことを特徴とする請求項２に記載の作業支援システム。
【請求項５】
前記表示制御手段は、前記期間内タスクのタスクインデックスと前記期間外タスクのタスクインデックスとを識別可能に表示させる、
ことを特徴とする請求項１ないし請求項４の何れか１項に記載の作業支援システム。
【請求項６】
コンピュータを、
登録されたタスクを示すタスクインデックスを実施期限順に並べて表示装置に表示させる表示制御手段、
所定の期間内に実施期限を迎える期間内タスクの数を導出するタスク数導出手段、として機能させ、
前記表示制御手段は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる、
ことを特徴とするプログラム。
【発明の詳細な説明】
【技術分野】
【０００１】
本発明は、作業支援システムおよびプログラムに関する。
【背景技術】
【０００２】
やるべき作業（以下、「タスク」と称する）を忘れることなく実施するために、タスク一覧表を作成することが有効である。ここでは、タスクとして、開始または完了する日時が決められているもののように、作業の実施時期が特に決められているものを想定することにする。ユーザは、メモ帳や手帳等にタスク一覧表を手書きで作成する場合もあるが、近年ではスマートフォン等の携帯端末を用いてタスク一覧表を作成する場合も多くなっている。
【０００３】
例えば、インターネット上のサーバでタスクを管理するクラウド型のシステムを想定した場合、ユーザは、携帯端末にインストールされているＷｅｂブラウザを利用してサーバ上にタスク一覧表を作成する。その後、ユーザは、Ｗｅｂブラウザを介してタスク一覧表を閲覧し、タスクを忘れることなく実施する。タスク一覧表は、例えば、タスクの内容を並べて表示する構成である（特許文献１参照）。
【先行技術文献】
【特許文献】
【０００４】
【特許文献１】特表２０１４−５１８４０９号公報
【発明の概要】
【発明が解決しようとする課題】
【０００５】
しかしながら、従来のタスク一覧表は、タスクの内容を並べて表示するものであったので、ユーザは、いつまでにどれだけのタスクの実施を完了すればよいのかを把握することが難しかった。その為、従来のタスク一覧表は、ユーザにとって利便性がよいものとは必ずしも言えなかった。
【０００６】
本発明の課題は、ユーザが作業量を把握できるようにタスクインデックスを表示することである。
【課題を解決するための手段】
【０００７】
前記課題を解決するため、本発明に係る作業支援システムは、
登録されたタスクの実施を支援する作業支援システムであって、
前記登録されたタスクを示すタスクインデックスを実施期限順に並べて表示装置に表示させる表示制御手段と、
所定の期間内に実施期限を迎える期間内タスクの数を導出するタスク数導出手段と、を備え、
前記表示制御手段は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる。
【発明の効果】
【０００８】
本発明によれば、ユーザが作業量を把握できるようにタスクインデックスを表示することができる。
【図面の簡単な説明】
【０００９】
【図１】本発明の実施形態に係る作業支援システムの概略構成図である。
【図２】本発明の実施形態に係る作業支援システムのモード遷移図である。
【図３】本発明の実施形態に係る作業支援システムのポータル画面の例示である。
【図４】未処理タスクインデックスの期限延長を一括して行う画面の例示である。
【図５】未処理タスクインデックスを一括して実施完了にする画面の例示である。
【図６】未処理タスクインデックスの期限延長を一括して行った後のメイン画面の例示である。
【図７】未処理タスクインデックスを一括して実施完了にした後のメイン画面の例示である。
【図８】本発明の実施形態に係るポータル画面における期間内タスク情報表示領域の表示方法を説明するための図であり、（ａ）は区切り期間として「本日中」が指定された場合の期間内タスク情報表示領域の例示であり、（ｂ）は区切り期間として「今週末まで」が指定された場合の期間内タスク情報表示領域の例示であり、（ｃ）は区切り期間として「本日中」および「今週末まで」が指定された場合の期間内タスク情報表示領域の例示である。
【図９】期間内タスク情報表示領域の表示処理を説明するためのフローチャートの例示である。
【図１０】変形例に係る作業支援システムのポータル画面の例示である。
【発明を実施するための形態】
【００１０】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。なお、各図において、共通する構成要素や同様な構成要素については、同一の符号を付し、それらの重複する説明を省略する。
【００１１】
≪実施形態に係る作業支援システムの構成について≫
図１を参照して、本実施形態に係る作業支援システムＳについて説明する。図１は、本実施形態に係る作業支援システムＳの概略構成図である。
作業支援システムＳは、ユーザ（例えば、経営者）の日常のバックヤード作業を支援するサービスを提供するためのものである。バックヤード作業は、例えば、飲食業や小売業を想定した場合、売上管理、就業管理等である。ここでは、作業支援システムＳとしてクラウド型のシステムを想定しており、作業支援システムＳは、ユーザにより実施される予定のタスク（「ToDo」と呼ぶ場合がある）をインターネット上のサーバで管理する。
【００１２】
作業支援システムＳは、サービス受領者と、サービス提供者とに分かれている。サービス受領者は、例えば、飲食業や小売業を行う実際の店舗を想定しており、サービス提供者は、例えば、インターネット上のサーバが設置されるデータセンタを想定している。
【００１３】
サービス受領者側のシステムは、ユーザが操作するユーザ操作端末１と、店舗に設置されている業務用装置２とを備えて構成されている。
ユーザ操作端末１は、例えば、スマートフォン１ａやＰＣ（Personal Computer）１ｂ等である。ユーザ操作端末１は、表示ディスプレイ（表示装置）を備えると共に、インターネット上のウェブページの情報を画面上に表示するための閲覧ソフト（Ｗｅｂブラウザ）を有している。
業務用装置２は、例えば、従業員がタイムカードを挿入することで従業員の出勤・退勤などの時刻を記録するタイムレコーダ２ａや店舗内で顧客が購入する商品の売上登録を行うＰＯＳ（Point Of Sales）レジ端末２ｂ等である。
【００１４】
サービス提供者側のシステムは、作業支援アプリケーション１０と、カレンダＤＢ（Database）１１と、タスクＤＢ（Database）１２と、ユーザ認証部１３と、タスク管理部２０とを備えて構成されている。
作業支援アプリケーション１０は、支援するタスク毎に機能が分かれており、ここでは、売上管理アプリ１０Ａと、会計管理アプリ１０Ｂと、給与管理アプリ１０ｃと、就業管理アプリ１０Ｄと、ＰＯＰ（Point of purchase advertising）作成アプリ１０Ｅとからなる。以下でアプリの種類と言った場合には、これらのアプリ１０Ａ〜１０Ｅを表す。各アプリ１０Ａ〜１０Ｅは、それぞれが複数のタスクを支援することが可能である。
【００１５】
売上管理アプリ１０Ａは、売上に関する作業を支援する機能を提供するプログラムであり、例えば、売上を確認するタスクや売上目標に対する達成率を確認するタスクの実施を支援する。売上管理アプリ１０Ａには、例えば、ＰＯＳレジ端末２ｂから売上情報が送られる。
会計管理アプリ１０Ｂは、会計に関する作業を支援する機能を提供するプログラムであり、例えば、固定資産税や自動車税等の税金を納付するタスクの実施を支援する。
【００１６】
給与管理アプリ１０Ｃは、給与に関する作業を支援する機能を提供するプログラムであり、例えば、給与や賞与等を計算するタスクの実施を支援する。給与管理アプリ１０Ｃは、例えば、タイムレコーダ２ａから出勤・退勤などの時刻情報が送られる。
就業管理アプリ１０Ｄは、就業に関する作業を支援する機能を提供するプログラムであり、例えば、従業員のシフト作成やその後に変更するタスクの実施を支援する。
ＰＯＰ作成アプリ１０Ｅは、ＰＯＰ作成に関する作業を支援する機能を提供するプログラムであり、例えば、新商品やセール品のＰＯＰを作成するタスクの実施を支援する。
【００１７】
以下でタスクの種類と言った場合には、作業支援アプリケーション１０が支援するこれらのタスク（例えば、売上を確認するタスク、売上目標に対する達成率を確認するタスク、固定資産税や自動車税等の税金を納付するタスク、給与や賞与等を計算するタスク、従業員のシフト作成するタスク、新商品やセール品のＰＯＰを作成するタスクなど）を表す。
【００１８】
カレンダＤＢ１１は、作業カレンダが記憶されている。ここでの作業カレンダは、日付にタスクインデックスの登録（ユーザによるタスクの実施）に関する情報が対応付けられているようなものでよい。
タスクＤＢ１２は、タスクインデックスが記憶されている。ここでのタスクインデックスは、タスクの見出しや概略のようなものでよく、ユーザが実施するタスクの種類、タスクの内容や時期を認識可能な情報を含んで構成されるのが望ましい。タスクインデックスは、タスク管理部２０の処理によって、例えば、ユーザ自身のランダムなタイミングでの登録や、作業カレンダに基づいた周期的な登録により発生する。
【００１９】
ユーザ認証部１３は、作業支援システムＳを利用するユーザの認証を行う。ユーザ認証部１３は、例えば、ユーザによるアカウント名およびパスワードの登録を予め受け付け、ユーザが作業支援システムＳを利用する度にこれらの情報を用いてユーザの認証を行う。
【００２０】
タスク管理部２０は、作業支援アプリケーション１０で支援を行うユーザのタスクを管理するものである。ここでは、タスク管理部２０は、登録部２１と、タスク数導出部２２と、表示制御部２３とを備えて構成されている。タスク管理部２０が備える各機能（登録部２１、タスク数導出部２２、表示制御部２３）は、種々の手段により実現可能であり、例えば、図示しないＣＰＵ（Central Processing Unit）によるプログラム実行処理や、専用回路等により実現される。
【００２１】
登録部２１は、ユーザによるタスクインデックスの登録を受け付けるか、または、作業カレンダに基づいて周期的にタスクインデックスの登録を発生させる。登録部２１は、登録したタスクインデックスをタスクＤＢ１２に格納する。
タスク数導出部２２は、登録部２１により受け付けられたタスクインデックスまたは発生させられたタスクインデックスの数をタスクの実施を支援するアプリの種類毎にカウントする。また、タスク数導出部２２は、ある時点（例えば、「本日中」、「今週末まで」、「来週末まで」、「今月末まで」など）までに実施期限を迎えるタスク、または、既に期限切れであるタスクの件数を導出する。
【００２２】
表示制御部２３は、作業支援システムＳで用いられる各モードでの画面をユーザ操作端末１に表示させる。図２を参照して、表示制御部２３の具体的な処理を説明する。図２は、作業支援システムＳのモード遷移図である。
この作業支援システムＳのURL（Uniform Resource Locator）をＷｅｂプラウザ等でユーザ操作端末１に表示することにより、作業支援のサービスが起動する。起動直後にて表示制御部２３は、ログイン画面（モードＭ１０）を表示する。
モードＭ１０のログイン画面にて、ユーザがログイン操作を行うと、表示制御部２３によってToDoのポータル画面（モードＭ１１）に遷移する。このToDoのポータル画面では、タスクＤＢ１２に登録されているタスクインデックスの選択やログアウトが行える。
【００２３】
モードＭ１１のポータル画面にて、タスクインデックスを選択すると、対応する作業支援アプリケーション１０が起動し、表示制御部２３によってアプリケーション画面のうちいずれか（モードＭ１２ａ，Ｍ１２ｂ，…）に遷移する。これらアプリケーション画面では、作業支援アプリケーション１０の終了とログアウトが行える。
モードＭ１２ａなどのアプリケーション画面にて、作業支援アプリケーション１０を終了すると、表示制御部２３によってモードＭ１１のポータル画面に戻る。
モードＭ１１のポータル画面やモードＭ１２ａなどのアプリケーション画面にて、ログアウトを行うと、表示制御部２３によってログイン画面（モードＭ１０）に戻る。
このように、作業支援システムＳでは、単にToDoポータル画面にてタスクＤＢ１２に登録されているタスクインデックスを表示するだけではなく、タスクインデックスに係る作業支援アプリケーション１０を起動して、これを処理させることができる。
【００２４】
図３は、ToDoポータルのメイン画面５０を説明する図である。ToDoポータルのメイン画面５０は、前記説明した通り、表示制御部２３によってユーザ操作端末１に表示される。
メイン画面５０は、メニュー５１Ａ〜５１Ｅを表示するメニューエリアと、アカウントアイコン５２と、タスク入力テキストボックス５３と、件数表示エリア５４と、区切り期間指定エリア５５と、ToDoリストペイン５６とを含んで構成される。
【００２５】
メニュー５１Ａには売上管理に係るアイコンが表示され、このメニュー５１Ａをクリックすると、売上管理アプリ１０Ａが起動する。メニュー５１Ａの下部には、売上管理アプリ１０Ａの略称である「売上」が表示されている。
メニュー５１Ｂには会計管理に係るアイコンが表示され、このメニュー５１Ｂをクリックすると、会計管理アプリ１０Ｂが起動する。メニュー５１Ｂの下部には、会計管理アプリ１０Ｂの略称である「会計」が表示されている。
メニュー５１Ｃには給与管理に係るアイコンが表示され、このメニュー５１Ｃをクリックすると、給与管理アプリ１０Ｃが起動する。メニュー５１Ｃの下部には、給与管理アプリ１０Ｃの略称である「給与」が表示されている。
メニュー５１Ｄには就業管理に係るアイコンが表示され、このメニュー５１Ｄをクリックすると、就業管理アプリ１０Ｄが起動する。メニュー５１Ｄの下部には、就業管理アプリ１０Ｄの略称である「就業」が表示されている。
メニュー５１ＥにはＰＯＰ作成に係るアイコンが表示され、このメニュー５１Ｅをクリックすると、ＰＯＰ作成アプリ１０Ｅが起動する。メニュー５１Ｅの下部には、ＰＯＰ作成アプリ１０Ｅの略称である「ＰＯＰ」が表示されている。
【００２６】
アカウントアイコン５２をクリックすると、ユーザのアカウント名と共にログアウトボタンが表示される。このログアウトボタンのクリックによりログアウトが行われ、図２に示したログイン画面に遷移する。
タスク入力テキストボックス５３は文字列入力領域であり、デフォルトでは「タスクを入力してください。」の文言が表示される。この領域に文字列を入力してリターンキーを押下すると、タスクインデックスが新たに登録される。
【００２７】
件数表示エリア５４には、ToDoリストペイン５６に表示される未処理タスクインデックス６０の件数に関する情報が表示される。符号５４Ａは、売上管理アプリ１０Ａの未処理タスクインデックス６０の登録件数であり、ここでは「０」件が表示されている。符号５４Ｂは、会計管理アプリ１０Ｂの未処理タスクインデックス６０の登録件数であり、ここでは「１」件が表示されている。符号５４Ｃは、給与管理アプリ１０Ｃの未処理タスクインデックス６０の登録件数であり、ここでは「１」件が表示されている。符号５４Ｄは、就業管理アプリ１０Ｄの未処理タスクインデックス６０の登録件数であり、ここでは「１」件が表示されている。符号５４Ｅは、ＰＯＰ作成アプリ１０Ｅの未処理タスクインデックス６０の登録件数であり、ここでは「０」件が表示されている。符号５４Ｔは、登録されている全ての未処理タスクインデックス６０の登録件数であり、ここでは「３」件が表示されている。
【００２８】
区切り期間指定エリア５５は、本日を始点とした場合の区切り期間（終点）を指定するためのエリアである。区切り期間指定エリア５５は、チェックボックスとして構成されており、ユーザは、「期限切れ」、「本日中」、「今週末まで」、「来週末まで」、「今月末まで」を一つまたは複数指定することができる。なお、区切り期間指定エリア５５の構成はこれに限定されるものではなく、例えば、テキストボックスとして構成されて、ユーザによって任意の期間を入力されるようにしてもよい。区切り期間指定エリア５５により区切り期間が指定されると、指定された数分の期間内タスク情報表示領域８０がToDoリストペイン５６に表示される。期間内タスク情報表示領域８０の詳細は後記する。なお、区切り期間指定エリア５５は、初期状態として「期限切れ」が選択されていてもよく、指定された区切り期間は図示しない記憶部に保存されて、新たな期間の指定までこの情報が維持されるようにしてもよい。
【００２９】
また、区切り期間指定エリア５５により区切り期間（終点）が指定されると、指定された区切り期間の右側に模様（ここでは、縞模様）が表示される。この模様は、指定された区切り期間内の未処理タスクインデックス６０および期間内タスク情報表示領域８０の背景として使用されるものである。つまり、表示制御部２３は、区切り期間内の未処理タスクインデックス６０を区切り期間外の未処理タスクインデックス６０に対して、模様５９によって強調して表示する。ここでは、２つの未処理タスクインデックス６０1，６０2および期間内タスク情報表示領域８０の背景が縞模様になっている。
なお、模様５９によって強調表示するのは、期間内の未処理タスクインデックス６０および期間内タスク情報表示領域８０の何れか一方であってもよい。また、本実施形態では模様５９により強調しているが、背景の色を変更することで区切り期間内の未処理タスクインデックス６０を区切り期間外の未処理タスクインデックス６０に対して強調して表示してもよい。
【００３０】
ToDoリストペイン５６は、１または複数のタスクインデックスをリスト表示する領域であり、ユーザによってスクロール可能に構成されている。ToDoリストペイン５６は、未処理リスト５７と、処理済リスト５８とを含んで表示される。未処理リスト５７の下に処理済リスト５８が表示されており、デフォルトでは未処理リスト５７が優先して表示される。
【００３１】
未処理リスト５７は、１つ又は複数の未処理タスクインデックス６０（ここでは、３つの未処理タスクインデックス６０1〜６０3を表示）と、期間内タスク情報表示領域８０とで構成される。未処理タスクインデックス６０は、未だ処理が完了していないタスクをユーザに示すものである。未処理タスクインデックス６０は、ここではタスクの期限日に基づいて降順に並べて表示されている（期限日が早いものが上位に表示されている）。期間内タスク情報表示領域８０は、区切り期間指定エリア５５によって指定された区切り期間内における未処理タスクインデックス６０の件数に関する情報などをユーザに示すものである。
処理済リスト５８は、１つ又は複数の処理済タスクインデックス７０（ここでは、４つの処理済タスクインデックス７０1〜７０4を表示）で構成される。処理済タスクインデックス７０は、直近に処理が完了したタスクをユーザに示すものである。処理済タスクインデックス７０は、ここでは完了日に基づいて昇順に並べて表示されている（完了日が早いものが下位に表示されている）。
【００３２】
未処理タスクインデックス６０は横長の長方形の領域であり、左側のアプリケーションアイコン６１と、中央のコメント６２と、下側の期限日６３と、右上側の起案日６４と、処理済チェックボックス６５とを含んで構成される。この未処理タスクインデックス６０は、例えば、期限日６３が本日を起点として所定期間（例えば２ヶ月間）のものに限って表示され、期限日６３が所定期間を超えるものについては表示されない。なお、表示される未処理タスクインデックス６０の範囲は、ユーザによって個別に設定できるようにしてもよい。
【００３３】
アプリケーションアイコン６１は、この未処理タスクインデックス６０を処理するための作業支援アプリケーション１０（図１参照）のアイコンである。コメント６２は、この未処理タスクインデックス６０に関するコメントである。期限日６３は、この未処理タスクインデックス６０を処理する期限の日付であり、その横に期限日６３までの残り日数が表示される。起案日６４は、原則としてこの未処理タスクインデックス６０を起案した日であるが、この未処理タスクインデックス６０を修正したならば、その修正日が起案日６４に反映される。
【００３４】
処理済チェックボックス６５は、この未処理タスクインデックス６０に係るタスクの処理が完了したときにチェックされるものである。処理済チェックボックス６５にチェックされた未処理タスクインデックス６０は、処理済リスト５８に移動し、処理済タスクインデックス７０として表示される。
【００３５】
処理済タスクインデックス７０は細長い長方形の領域であり、アプリケーション名の表示７１と、中央のコメント７２と、完了日７３と、コピーボタン７４と、復活ボタン７５とを含んで構成される。この処理済タスクインデックス７０は、例えば、完了日７３が直近の所定期間（例えば５週間）のものに限って表示され、所定期間を過ぎたものは表示されなくなる。これによりユーザは、処理済タスクインデックス７０を事後的に確認可能であり、かつ所定期間が過ぎて確認の必要性が少なくなった処理済タスクインデックス７０によって煩わされなくなる。
【００３６】
コピーボタン７４は、この処理済タスクインデックス７０をコピーして新たな未処理タスクインデックス６０を登録するためのボタンである。このコピーボタン７４が選択されると、例えば、選択された処理済タスクインデックス７０と同じ内容のタスクインデックスがタスクＤＢ１２に新たに登録されると共に、新たに登録されたタスクインデックスが未処理リスト５７に未処理タスクインデックス６０として追加される。
復活ボタン７５は、この処理済タスクインデックス７０を未処理タスクインデックス６０として復活させるためのボタンである。この復活ボタン７５が選択されると、例えば、タスクＤＢ１２に記憶される当該処理済タスクインデックス７０の処理済みを行ったか否かの情報が未処理に更新される。また、処理済リスト５８から選択された処理済タスクインデックス７０が削除されると共に、未処理リスト５７に選択された処理済タスクインデックス７０と同じ内容のものが追加される。
【００３７】
期間内タスク情報表示領域８０は、未処理タスクインデックス６０と同様に細長い長方形の領域である。期間内タスク情報表示領域８０は、全種類選択ボタン８１と、売上管理選択ボタン８２Ａと、会計管理選択ボタン８２Ｂと、給与管理選択ボタン８２Ｃと、就業管理選択ボタン８２Ｄと、ＰＯＰ作成選択ボタン８２Ｅと、期限延長ボタン８３と、全て完了ボタン８４とを含んで構成される。以下では、売上管理選択ボタン８２Ａ、会計管理選択ボタン８２Ｂ、給与管理選択ボタン８２Ｃ、就業管理選択ボタン８２ＤおよびＰＯＰ作成選択ボタン８２Ｅをまとめて「種類別選択ボタン８２」と呼ぶ場合がある。
【００３８】
全種類選択ボタン８１は、区切り期間指定エリア５５によって指定された区切り期間内における全ての未処理タスクインデックス６０を選択するためのボタンである。全種類選択ボタン８１には、指定された期間、および区切り期間内における未処理タスクインデックス６０の全登録件数が表示されており、ここでは「来週末までＡＬＬ：２件」と表示されている。
売上管理選択ボタン８２Ａは、区切り期間指定エリア５５によって指定された区切り期間内における売上管理の未処理タスクインデックス６０を選択するためのボタンである。売上管理選択ボタン８２Ａには、売上管理の略称「売上」、および区切り期間内における売上管理の未処理タスクインデックス６０の登録件数（ここでは「０」件）が表示されている。
会計管理選択ボタン８２Ｂは、区切り期間指定エリア５５によって指定された区切り期間内における会計管理の未処理タスクインデックス６０を選択するためのボタンである。会計管理選択ボタン８２Ｂには、会計管理の略称「会計」、および区切り期間内における会計管理の未処理タスクインデックス６０の登録件数（ここでは「１」件）が表示されている。
【００３９】
給与管理選択ボタン８２Ｃは、区切り期間指定エリア５５によって指定された区切り期間内における給与管理の未処理タスクインデックス６０を選択するためのボタンである。給与管理選択ボタン８２Ｃには、給与管理の略称「給与」、および区切り期間内における給与管理の未処理タスクインデックス６０の登録件数（ここでは「０」件）が表示されている。
就業管理選択ボタン８２Ｄは、区切り期間指定エリア５５によって指定された区切り期間内における就業管理の未処理タスクインデックス６０を選択するためのボタンである。就業管理選択ボタン８２Ｄには、就業管理の略称「就業」、および区切り期間内における就業管理の未処理タスクインデックス６０の登録件数（ここでは「１」件）が表示されている。
ＰＯＰ作成選択ボタン８２Ｅは、区切り期間指定エリア５５によって指定された区切り期間内におけるＰＯＰ作成の未処理タスクインデックス６０を選択するためのボタンである。ＰＯＰ作成選択ボタン８２Ｅには、ＰＯＰ作成の略称「ＰＯＰ」、および区切り期間内におけるＰＯＰ作成の未処理タスクインデックス６０の登録件数（ここでは「０」件）が表示されている。
【００４０】
なお、全種類選択ボタン８１や種類別選択ボタン８２は、未処理タスクインデックス６０の登録がある場合にのみ選択できるようにしてもよい。言い換えれば、未処理タスクインデックス６０の登録がないものについては選択できないようにしてもよい。例えば、図３において、未処理タスクインデックス６０の登録がある全種類選択ボタン８１、会計管理選択ボタン８２Ｂおよび就業管理選択ボタン８２Ｄを選択できるようにする。一方、未処理タスクインデックス６０の登録がない売上管理選択ボタン８２Ａ、給与管理選択ボタン８２ＣおよびＰＯＰ作成選択ボタン８２Ｅを選択できないようにする。
【００４１】
期限延長ボタン８３は、全種類選択ボタン８１または種類別選択ボタン８２によって選択された未処理タスクインデックス６０の期限を一括して延長するためのボタンである。ここでは、全種類選択ボタン８１が選択された場合を想定しており、期限延長ボタン８３の上部に「来週までにＡＬＬ２件を」との表示がなされている。この状態で、期限延長ボタン８３を押下することによって、２つの未処理タスクインデックス６０1，６０2の期限日を延長することが可能である。期限延長ボタン８３の上部に表示される文言は、選択される全種類選択ボタン８１または種類別選択ボタン８２に変更される。
【００４２】
期限延長ボタン８３が押下された場合に、表示制御部２３は、例えば、図４に示すダイアログボックス８３１を表示する。ダイアログボックス８３１は、未処理タスクインデックス情報表示領域８３２と、延長日数選択欄８３３と、ＯＫボタン８３４と、キャンセルボタン８３５とを含んで構成される。
未処理タスクインデックス情報表示領域８３２には、期限日を延長する対象となる未処理タスクインデックス６０の情報が表示され、ここでは「来週末までＡＬＬ２件」と表示されている。
【００４３】
延長日数選択欄８３３は、未処理タスクインデックス６０の期限を延長する日数（ここでは「１」日）を選択するものであって、ユーザによって選択される。
ＯＫボタン８３４は、選択された未処理タスクインデックス６０の期限を延長することを確定するためのボタンである。ＯＫボタン８３４がユーザによって選択されることによって、表示制御部２３は、例えば、タスクＤＢ１２に記憶される当該未処理タスクインデックス６０の期限日を変更すると共に、ToDoリストペイン５６（図３参照に）表示される未処理タスクインデックス６０の期限日６３（図３参照）を変更する。
キャンセルボタン８３５は、未処理タスクインデックス６０の期限延長の処理を中止するボタンである。キャンセルボタン８３５がユーザによって選択されることによって、表示制御部２３は、ダイアログボックス８３１を閉じて、メイン画面５０（図３参照）を表示する。
【００４４】
図４に示すダイアログボックス８３１によって、未処理タスクインデックス６０1，６０2の期限日が一括して１日だけ延長された場合のメイン画面５０を図６に示す。
図６に示す未処理タスクインデックス６０1の期限日６３は、「７月３１日」から「８月１日」に変更されると共に、残り日数が「あと２日」から「あと３日」に変更されている。また、未処理タスクインデックス６０2の期限日６３は、「８月１日」から「８月２日」に変更されると共に、残り日数が「あと３日」から「あと４日」に変更されている。
【００４５】
全て完了ボタン８４（図３参照）は、全種類選択ボタン８１または種類別選択ボタン８２によって選択された未処理タスクインデックス６０を一括して処理済みにするためのボタンである。ここでは、全種類選択ボタン８１が選択された場合を想定しており、全て完了ボタン８４の上部に「来週までにＡＬＬ２件を」との表示がなされている。この状態で、全て完了ボタン８４を押下することによって、２つの未処理タスクインデックス６０1，６０2を処理済みにすることが可能である。
【００４６】
全て完了ボタン８４が押下された場合に、表示制御部２３は、例えば、図５に示すダイアログボックス８４１を表示する。ダイアログボックス８４１は、未処理タスクインデックス情報表示領域８４２と、ＯＫボタン８４３と、キャンセルボタン８４４とを含んで構成される。
未処理タスクインデックス情報表示領域８４２には、実施を完了する未処理タスクインデックス６０の情報が表示され、ここでは「来週末までＡＬＬ２件」と表示されている。
【００４７】
ＯＫボタン８４３は、選択された未処理タスクインデックス６０の実施を完了にすることを確定するためのボタンである。ＯＫボタン８４３がユーザによって選択されることによって、表示制御部２３は、例えば、タスクＤＢ１２に記憶される当該未処理タスクインデックス６０の実施を完了したか否かを示す情報を処理済みにすると共に、当該未処理タスクインデックス６０を処理済リスト５８（図３参照）に移動し、処理済タスクインデックス７０として表示する。
キャンセルボタン８４４は、未処理タスクインデックス６０の実施を完了する処理を中止するボタンである。キャンセルボタン８４４がユーザによって選択されることによって、表示制御部２３は、ダイアログボックス８４１を閉じて、メイン画面５０（図３参照）を表示する。
【００４８】
図５に示すダイアログボックス８４１によって、未処理タスクインデックス６０1，６０2が一括して実施完了にされた場合のメイン画面５０を図７に示す。
図７では、未処理リスト５７から未処理タスクインデックス６０1，６０2（図３参照）の表示がなくなっている。そして、未処理タスクインデックス６０1に対応する処理済タスクインデックス７０5が処理済リスト５８に表示されており、また、未処理タスクインデックス６０2に対応する処理済タスクインデックス７０6が処理済リスト５８に表示されている。
さらに、図７に示す件数表示エリア５４は、登録されている全ての未処理タスクインデックス６０の登録件数５４Ｔが「３件」から「１件」に変更されている。また、会計管理アプリ１０Ｂの未処理タスクインデックス６０の登録件数５４Ｂおよび就業管理アプリ１０Ｄの未処理タスクインデックス６０の登録件数５４Ｄが各々「１件」から「０件」に変更されている。
さらに、図７に示す期間内タスク情報表示領域８０は、全種類選択ボタン８１に表示される未処理タスクインデックス６０の全登録件数が「２件」から「０件」に変更されている。また、会計管理選択ボタン８２Ｂおよび就業管理選択ボタン８２Ｄに表示される登録件数が各々「１」から「０」に変更されている。
【００４９】
期間内タスク情報表示領域８０（図３参照）の表示位置は、区切り期間指定エリア５５で指定された区切り期間内と期間外との間の領域であるのがよい。ここでは、未処理タスクインデックス６０を期限日６３に基づいて降順に並べて表示しており、そして、一つの指定期間「来週末まで」が指定されている。その為、期間内タスク情報表示領域８０は、期限日６３が来週末までの未処理タスクインデックス６０1，６０2と、期限日６３が再来週以降の未処理タスクインデックス６０3との間に表示されている。この期間内タスク情報表示領域８０の表示位置について、図８を参照してより詳細に説明する。
【００５０】
図８では、未処理タスクインデックス６０7の期限日が「本日」であり、未処理タスクインデックス６０8の期限日が「３日後」であり、未処理タスクインデックス６０9の期限日が「１０日後」であることを想定している。
【００５１】
図８（ａ）に示すように、区切り期間として「本日中」が指定されている場合に、表示制御部２３は、指定された区切り期間（ここでは、本日中）と同じ期限日である未処理タスクインデックス６０7の下側（つまり、期限日が「本日」である未処理タスクインデックス６０7と期限日が「３日後」である未処理タスクインデックス６０8との間）に期間内タスク情報表示領域８０Tを表示させる。また、表示制御部２３は、未処理タスクインデックス６０7および期間内タスク情報表示領域８０Tの背景を縞模様にする。これにより、ユーザは、期間内タスク情報表示領域８０Tおよび背景模様により、本日中までに実施を完了しなければならない未処理タスクインデックス６０7を一目で把握することが可能である。
【００５２】
また、図８（ｂ）に示すように、区切り期間として「今週末まで」が指定されている場合に、表示制御部２３は、指定された区切り期間（ここでは、今週中まで）の内で最も遅い期限日である未処理タスクインデックス６０8の下側（つまり、期限日が「３日後」である未処理タスクインデックス６０8と期限日が「１０日後」である未処理タスクインデックス６０9との間）に、期間内タスク情報表示領域８０1Wを表示させる。また、表示制御部２３は、未処理タスクインデックス６０7，６０8および期間内タスク情報表示領域８０1Wの背景をドット模様にする。これにより、ユーザは、期間内タスク情報表示領域８０1Wおよび背景模様により、今週末までに実施を完了しなければならない未処理タスクインデックス６０7，６０8を一目で把握することが可能である。
【００５３】
また、図８（ｃ）に示すように、区切り期間として「本日中」および「今週末まで」の二つが指定されている場合に、表示制御部２３は、指定された一つ目の区切り期間（ここでは、本日中）と同じ期限日である未処理タスクインデックス６０7の下側（つまり、期限日が「本日」である未処理タスクインデックス６０7と期限日が「３日後」である未処理タスクインデックス６０8との間）に期間内タスク情報表示領域８０Tを表示させる。また、表示制御部２３は、指定された二つ目の区切り期間（ここでは、今週中まで）の内で最も遅い期限日である未処理タスクインデックス６０8の下側（つまり、期限日が「３日後」である未処理タスクインデックス６０8と期限日が「１０日後」である未処理タスクインデックス６０9との間）に、期間内タスク情報表示領域８０1Wを表示させる。
【００５４】
さらに、表示制御部２３は、未処理タスクインデックス６０7および期間内タスク情報表示領域８０Tの背景を縞模様にする。また、表示制御部２３は、未処理タスクインデックス６０8および期間内タスク情報表示領域８０1Wの背景をドット模様にする。
これにより、ユーザは、期間内タスク情報表示領域８０Tおよび背景模様により、本日中までに実施を完了しなければならない未処理タスクインデックス６０7を一目で把握することが可能である。また、ユーザは、期間内タスク情報表示領域８０1Wおよび背景模様により、今週末までに実施を完了しなければならない未処理タスクインデックス６０7，６０8を一目で把握することが可能である。
【００５５】
なお、指定された区切り期間に、対象の未処理タスクインデックス６０がなかった場合には、例えば、期間内タスク情報表示領域８０を全ての未処理タスクインデックス６０の上位に表示するようにする。これにより、ユーザは、期限日が指定された期間内のタスクが存在しないことを一目で把握することができる。
【００５６】
未処理タスクインデックス６０および期間内タスク情報表示領域８０の表示処理について図９を参照して説明する。図９は、期間内タスク情報表示領域の表示処理を説明するためのフローチャートの例示である。
最初に、表示制御部２３は、区切り期間指定エリア５５により指定された期間内のタスク数を導出する（ステップＳ１０）。タスク数の導出は、タスクの全体数の他に、タスクの種類毎にも行われる。
【００５７】
続いて、表示制御部２３は、期間内のタスク数分だけステップＳ３０の処理を繰り返し行う（ステップＳ２０）。ステップＳ３０では、期間内の未処理タスクインデックス６０の中で期限日が早いものを１件表示する。ステップＳ２０，Ｓ３０の処理の繰り返しによって、期間内の未処理タスクインデックス６０が期限日に基づいて上から降順に並べて表示される（図３参照）。
【００５８】
続いて、表示制御部２３は、期間内の未処理タスクインデックス６０の下に期間内タスク情報表示領域８０を表示する（ステップＳ４０）。この期間内タスク情報表示領域８０の全種類選択ボタン８１には、ステップＳ１０で導出された期間内のタスクの全体数が表示されている。また、期間内タスク情報表示領域８０の種類別選択ボタン８２には、ステップＳ１０で導出された期間内における種類毎のタスク数が表示されている（図３参照）。
【００５９】
続いて、表示制御部２３は、期間外のタスク数分だけステップＳ６０の処理を繰り返し行う（ステップＳ５０）。ステップＳ６０では、期間外の未処理タスクインデックス６０の中で期限日が早いものを１件表示する。ステップＳ５０，Ｓ６０の処理の繰り返しによって、期間外の未処理タスクインデックス６０が期限日に基づいて上から降順に並べて表示される（図３参照）。
【００６０】
以上のように、実施形態に係る作業支援システムＳは、区切り期間指定エリア５５によって指定された期間内に実施期限を迎える未処理タスクインデックス６０と、当該期間外に実施期限を迎える未処理タスクインデックス６０との間に期間内タスク情報表示領域８０を表示する。また、作業支援システムＳは、期間内の未処理タスクインデックス６０および期間内タスク情報表示領域８０の背景を模様５９によって強調して表示する。その為、ユーザは、いつまでにどれだけのタスクの実施を完了すればよいのかを把握することが可能である。
【００６１】
［変形例］
以上、本発明の実施形態について説明したが、本発明はこれに限定されるものではなく、特許請求の範囲の趣旨を変えない範囲で実施することができる。
【００６２】
実施形態では、図３に示す区切り期間指定エリア５５によって、本日を始点とした場合の区切り期間（終点）を指定していた。しかしながら、区切り期間の指定はこれに限定されるものではない。例えば、終点だけでなく始点についても指定できるようにしてもよい。その場合、区切り期間指定エリア５５は、例えば、週間や月間のカレンダとして構成され、ユーザによってカレンダ内の特定の日を始点または終点として指定される。
【００６３】
図１０を参照して、実施形態に係る区切り期間指定エリア５５の変形例について説明する。図１０は、変形例に係るToDoポータルのメイン画面１５０を説明する図である。ToDoポータルのメイン画面１５０は、表示制御部２３によってユーザ操作端末１に表示される。
メイン画面１５０は、メニュー５１Ａ〜５１Ｅを表示するメニューエリアと、アカウントアイコン５２と、タスク入力テキストボックス５３と、件数表示エリア５４と、区切り期間指定エリア１５５と、ToDoリストペイン１５６とを含んで構成される。
【００６４】
区切り期間指定エリア１５５は、区切り期間の始点および終点を指定するためのエリアである。区切り期間指定エリア１５５は、例えば、月間カレンダとして構成されており、一つまたは連続した日付を指定することができる。ここでは、「２０１６年８月１日〜２０１６年８月５日」の期間が指定されている場合を例示している。なお、区切り期間指定エリア１５５の構成はこれに限定されるものではなく、例えば、テキストボックスとして構成されて、ユーザによって任意の期間を入力されるようにしてもよい。区切り期間指定エリア１５５により区切り期間が指定されると、指定された期間の始点側に期間内タスク情報表示領域１８０ａが表示され、また、指定された期間の終点側に期間内タスク情報表示領域１８０ｂが表示される。
【００６５】
期間内タスク情報表示領域１８０ｂは、実施形態における期間内タスク情報表示領域８０と同様の内容である。一方、期間内タスク情報表示領域１８０ａは、期限延長ボタン８３に代えて期限短縮ボタン８５を備える。
期限短縮ボタン８５は、全種類選択ボタン８１または種類別選択ボタン８２によって選択された未処理タスクインデックス６０の期限を一括して短縮するためのボタンである。ここでは、全種類選択ボタン８１が選択された場合を想定しており、期限短縮ボタン８５の上部に「期間内のＡＬＬ１件を」との表示がなされている。この状態で、期限短縮ボタン８５を押下することによって、１つの未処理タスクインデックス６０2の期限日を短縮することが可能である。期限短縮ボタン８５が押下された場合に、表示制御部２３は、例えば、ダイアログボックス（図示せず）を表示し、ユーザによる短縮期日の入力を受け付ける。
【００６６】
また、区切り期間指定エリア１５５により区切り期間が指定されると、指定された区切り期間内の未処理タスクインデックス６０および期間内タスク情報表示領域１８０ａ，１８０ｂの背景を模様５９で強調して表示する。ここでは、１つの未処理タスクインデックス６０2および期間内タスク情報表示領域１８０ａ，１８０ｂの背景が縞模様になっている。
なお、模様５９によって強調表示するのは、期間内の未処理タスクインデックス６０および期間内タスク情報表示領域１８０ａ，１８０の何れか一方であってもよい。また、ここでは模様５９により強調しているが、背景の色を変更することで区切り期間内の未処理タスクインデックス６０を区切り期間外の未処理タスクインデックス６０に対して強調して表示してもよい。
【００６７】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
登録されたタスクの実施を支援する作業支援システムであって、
前記登録されたタスクを示すタスクインデックスを実施期限順に並べて表示装置に表示させる表示制御手段と、
所定の期間内に実施期限を迎える期間内タスクの数を導出するタスク数導出手段と、を備え、
前記表示制御手段は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる、
ことを特徴とする作業支援システム。
＜請求項２＞
前記表示制御手段は、前記期間内タスクのタスクインデックスに対して変更を指示する変更ボタンを前記表示領域に表示させる、
ことを特徴とする請求項１に記載の作業支援システム。
＜請求項３＞
前記期間内タスクのタスクインデックスに対する変更は、期限延長および実施完了の少なくとも何れか一方を含み、
前記表示制御手段は、前記期間内で終点側の前記期間内タスクのタスクインデックスと前記期間外タスクのタスクインデックスとの間の前記表示領域に表示させる、
ことを特徴とする請求項２に記載の作業支援システム。
＜請求項４＞
前記期間内タスクのタスクインデックスに対する変更は、期限短縮および実施完了の少なくとも何れか一方を含み、
前記表示制御手段は、前記期間内で始点側の前記期間内タスクのタスクインデックスと前記期間外タスクのタスクインデックスとの間の前記表示領域に表示させる、
ことを特徴とする請求項２に記載の作業支援システム。
＜請求項５＞
前記表示制御手段は、前記期間内タスクのタスクインデックスと前記期間外タスクのタスクインデックスとを識別可能に表示させる、
ことを特徴とする請求項１ないし請求項４の何れか１項に記載の作業支援システム。
＜請求項６＞
コンピュータを、
登録されたタスクを示すタスクインデックスを実施期限順に並べて表示装置に表示させる表示制御手段、
所定の期間内に実施期限を迎える期間内タスクの数を導出するタスク数導出手段、として機能させ、
前記表示制御手段は、前記タスク数導出手段により導出された前記期間内タスクの数を示した期間内タスク情報を、前記期間内タスクのタスクインデックスと期間外に実施期限を迎える期間外タスクのタスクインデックスとの間の表示領域に表示させる、
ことを特徴とするプログラム。
【符号の説明】
【００６８】
Ｓ      作業支援システム
１      ユーザ操作端末（表示装置）
２      業務用装置
１０    作業支援アプリケーション
１１    カレンダＤＢ
１２    タスクＤＢ
１３    ユーザ認証部
２０    タスク管理部
２１    登録部
２２    タスク数導出部（タスク数導出手段）
２３    表示制御部（表示制御手段）
６０    未処理タスクインデックス
７０    処理済タスクインデックス
８０，１８０ａ，１８０ｂ  期間内タスク情報表示領域
【図１】
2018041286.tif 000003
【図２】
2018041286.tif 000004
【図３】
2018041286.tif 000005
【図４】
2018041286.tif 000006
【図５】
2018041286.tif 000007
【図６】
2018041286.tif 000008
【図７】
2018041286.tif 000009
【図８】
2018041286.tif 000010
【図９】
2018041286.tif 000011
【図１０】
2018041286.tif 000012